(57)【要約】【課題】利用者の利用度に応じて特典を与える。また利用者の不正利用に対して非接触ＩＣカードを利用させながらもペナルティを与える。【解決手段】この料金収受システムのチャージ機１１は、非接触ＩＣカード１３が利用されるたびに、ホストコンピュータ１２へ利用実績を送信する。ホストコンピュータ１２には、カードＩＤをキーに非接触ＩＣカード１３の利用実績が蓄積される。ホストコンピュータ１２では、ＣＰＵ４１が、非接触ＩＣカード１３の利用実績に応じてチャージ限度額を引上げるか、引下げるか、継続するか、プレミアム金額を付与するか等を判定し、判定結果をチャージ機１１へ通知する。判定結果の通知を受けたチャージ機１１では、判定結果に応じてＣＰＵ３１が、非接触ＩＣカード１３のチャージ限度額を自動的に更新する。【選択図】      図１
2004362307.tif 000002
【特許請求の範囲】
【請求項１】
有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおいて、
前記チャージ機は、
前記非接触ＩＣカードに金額データをチャージするチャージ手段と、
前記チャージ手段により非接触ＩＣカードにチャージされた際の利用実績情報を前記ホストコンピュータへ送信する手段と、
前記ホストコンピュータから送信されてきたチャージ限度額の変更情報あるいはプレミアム金額を受信する受信手段と、
前記受信手段により受信されたチャージ限度額の変更情報あるいはプレミアム金額に基づき非接触ＩＣカードの該当情報を更新する制御手段とを備え、
前記ホストコンピュータは、
前記チャージ機より利用実績情報を受信する受信手段と、
前記受信手段により受信された利用実績情報をカードＩＤをキーにして蓄積する利用実績蓄積手段と、
チャージ限度額を変更するための判定基準情報を記憶した判定情報記憶手段と、
前記利用実績蓄積手段に蓄積されたカードＩＤ毎の利用実績情報と前記判定基準情報記憶手段の判定基準情報とを基にチャージ限度額を変更するか否か、あるいはプレミアム金額を付与するか否かを判定する判定手段と、
前記判定手段により変更と判定されたチャージ限度額の変更情報あるいはプレミアム金額を前記チャージ機へ送信する手段と
を具備したことを特徴とするＩＣカードチャージシステム。
【請求項２】
請求項１記載のＩＣカードチャージシステムにおいて、
前記ホストコンピュータは、
前記プレミアム金額を付与するか否かを判定するための基準値と付与するプレミアム金額とを記憶したプレミアム付与判定基準記憶手段と、
前記判定手段によりチャージ限度額の引上げあるいは引下げと判定されたそれぞれの回数を記憶する回数記憶手段と、
前記回数記憶手段の回数と前記プレミアム付与判定基準記憶手段の基準値とを基に該当非接触ＩＣカードヘプレミアム金額を付与するか否かを判定し、プレミアム金額を付与する場合、該当プレミアム金額を前記プレミアム付与判定基準記憶手段から読出すプレミアム付与判定手段と、
を具備したことを特徴とするＩＣカードチャージシステム。
【請求項３】
請求項１記載のＩＣカードチャージシステムにおいて、
前記チャージ機は、
前記受信手段により受信されたチャージ限度額の変更情報がチャージ限度額の引上げの場合、チャージ限度額の引上げを行うか否かの指示を促す手段と、
チャージ限度額の引上げを行うことが指示された場合に、引き上げられたチャージ限度額を適用する一方、チャージ限度額の引上げを行わないことが指示された場合に、現行のチャージ限度額を適用する手段と
を具備したことを特徴とするＩＣカードチャージシステム。
【請求項４】
有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおいて、
前記チャージ機は、
金額データをチャージする非接触ＩＣカードよりカード情報を読取り、読み取ったカード情報に含まれるカードＩＤをホストコンピュータヘ送信する手段と、
送信した前記カードＩＤの応答として前記ホストコンピュータより受信した判定結果がチャージ限度額の引下げの場合、引下げられたチャージ限度額内でチャージが可能なことを報知すると共に、引下げられたチャージ限度額を適用したチャージ処理を行う手段とを備え、
前記ホストコンピュータは、
前記チャージ機からカードＩＤを受信する受信手段と、
過去に不正利用されて利用不可とされた非接触ＩＣカードのカードＩＤのリストが登録された利用不可カードＩＤ記憶手段と、
前記受信手段により受信されたカードＩＤが前記利用不可カードＩＤ記憶手段に登録されているか否かによって、該当非接触ＩＣカードのチャージ限度額の引下げるか否かを判定する判定手段と、
前記判定手段による判定結果を前記チャージ機へ通知する手段と
を具備したことを特徴とするＩＣカードチャージシステム。
【請求項５】
有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおけるＩＣカードチャージ方法において、
前記非接触ＩＣカードに前記チャージ機が金額データをチャージするステップと、
前記非接触ＩＣカードに金額データをチャージした際の利用実績情報を前記チャージ機から前記ホストコンピュータへ送信するステップと、
前記チャージ機からの利用実績情報を前記ホストコンピュータが受信するステップと、
受信した利用実績情報をカードＩＤをキーにして前記ホストコンピュータが蓄積するステップと、
前記ホストコンピュータに蓄積したカードＩＤ毎の利用実績情報と予め記憶されたチャージ限度額を変更するための判定基準情報とを基にチャージ限度額を変更するか否か、あるいはプレミアム金額を付与するか否かを前記ホストコンピュータが判定するステップと、
前記ホストコンピュータが変更と判定したチャージ限度額の変更情報あるいはプレミアム金額を前記チャージ機へ送信するステップと、
前記ホストコンピュータから送信されてきたチャージ限度額変更情報あるいはプレミアム金額を受信するステップと、
前記受信手段により受信されたチャージ限度額の変更情報あるいはプレミアム金額に基づき非接触ＩＣカードの該当情報を更新するステップと
を有することを特徴とするＩＣカードチャージ方法。
【請求項６】
請求項５記載のＩＣカードチャージ方法において、
前記ホストコンピュータに予め記憶していたプレミアム金額を付与するか否かを判定するための基準値と付与するプレミアム金額と、チャージ限度額の引上げと判定された回数とを基に前記ホストコンピュータが該当非接触ＩＣカードヘプレミアム金額を付与するか否かを判定し、プレミアム金額を付与する場合、該当プレミアム金額を読出すステップを有することを特徴とするＩＣカードチャージ方法。
【請求項７】
請求項５記載のＩＣカードチャージ方法において、
前記チャージ機に受信されたチャージ限度額の変更情報がチャージ限度額の引上げの場合、チャージ限度額の引上げを行うか否かの指示を促すステップと、
チャージ限度額の引上げを行うことが指示された場合に、引き上げられたチャージ限度額を適用する一方、チャージ限度額の引上げを行わないことが指示された場合に、現行のチャージ限度額を適用するステップと
を有することを特徴とするＩＣカードチャージ方法。
【請求項８】
有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおけるＩＣカードチャージ方法において、
金額データをチャージする非接触ＩＣカードよりカード情報を前記チャージ機が読取り、読み取ったカード情報に含まれるカードＩＤを前記ホストコンピュータヘ送信するステップと、
前記チャージ機からのカードＩＤを前記ホストコンピュータが受信するステップと、
受信したカードＩＤが、過去に不正利用されて利用不可とされた非接触ＩＣカードのカードＩＤのリストに登録されているか否かによって、該当非接触ＩＣカードのチャージ限度額の引下げるか否かを前記ホストコンピュータが判定し、その判定結果を前記チャージ機へ通知するステップと、
前記ホストコンピュータより前記チャージ機が受信した判定結果がチャージ限度額の引下げの場合、引下げられたチャージ限度額内でチャージが可能なことを報知すると共に、引下げられたチャージ限度額を適用したチャージ処理を行うステップと
を有することを特徴とするＩＣカードチャージ方法。
【発明の詳細な説明】
【０００１】
【発明の属する技術分野】
本発明は、例えば非接触ＩＣカードに金額データをチャージするＩＣカードチャージシステム、ＩＣカードチャージ方法に関する。
【０００２】
【従来の技術】
一般に、鉄道、有料道路等では、磁気記録式のプリペイドカードが利用されており、プリペイドカードを使用するたびに使用履歴がカード表面に印字され磁気データ以外に記録が残るようになっている。
近年、磁気記録式のカードに代わり、例えば非接触ＩＣカード等のＩＣ式のカードが利用可能になっている。
この非接触ＩＣカードを用いた前納式決済システムの場合、残額の少なくなった非接触ＩＣカードに金額データをチャージすることで残額を増額して繰り返し使用できる。
【０００３】
一方、有料道路では、無線通信機能をもつ車載機を車両に搭載し、車載機にＩＣカードをセットすることで料金収受を行う料金収受システムが既に導入されている（例えば特許文献１参照）。
この料金収受システムは、ポストペイド方式のため、後処理にて、通行料金の割引サービスや得点の付与が可能である。
このように既にＩＣカードが利用されている有料道路において、非接触ＩＣカードを利用可能にするためには、ハードウェアとして非接触ＩＣカードリーダライタ等の設備の追加が必要である他、既に利用されているＩＣカードに少なくとも劣らないサービスを提供する必要がある。
【０００４】
非接触ＩＣカードは、不正利用を考慮して、チャージ金額に上限が設定される。したがって、非接触ＩＣカードの利用者は、利用前に残額を確かめて、非接触ＩＣカードの残額が少なくなっていた場合、チャージしなければならない。これは現行のＩＣカードの利用者にとって利便性が損なわれる欠点となる。
【０００５】
【特許文献１】
特許第３２５６６４２号公報（段落番号［０００５］）
【０００６】
【発明が解決しようとする課題】
このようにプリペイド方式の非接触ＩＣカードは、不正利用等を考慮し購入当初は一定のチャージ限度額が設定されているため、例えば長距離走行、大型車、特大車等のように、頻繁に有料道路を利用したり、一回の支払い金額が大きな利用者の場合、非接触ＩＣカードへのチャージを頻繁に行わなければならず、非接触ＩＣカードを頻繁に利用したり高額利用する優良な利用者ほどその利便性が損なわれるという問題があった。
また、不正利用等に対してペナルティを与えるような機能が備わっていないため、万一、不正とおぼしき利用があった場合、非接触ＩＣカードの利用を停止にするしか手がなく、誤って利用した等の不正内容が軽度な場合や不正利用の判定が難しい場合に対応がとれないという問題があった。
【０００７】
本発明はこのような課題を解決するためになされたもので、利用者が非接触ＩＣカードを利用する度合いに応じて特典を与える一方、利用者の不正利用に対して非接触ＩＣカードを利用させながらもペナルティを与えることができるＩＣカードチャージシステム、ＩＣカードチャージ方法を提供することを目的としている。
【０００８】
【課題を解決するための手段】
上記した目的を達成するために、本発明のＩＣカードチャージシステムは、有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおいて、前記チャージ機は、前記非接触ＩＣカードに金額データをチャージするチャージ手段と、前記チャージ手段により非接触ＩＣカードにチャージされた際の利用実績情報を前記ホストコンピュータへ送信する手段と、前記ホストコンピュータから送信されてきたチャージ限度額の変更情報あるいはプレミアム金額を受信する手段と、前記受信手段により受信されたチャージ限度額の変更情報あるいはプレミアム金額に基づき非接触ＩＣカードの該当情報を更新する手段とを備え、前記ホストコンピュータは、前記チャージ機より利用実績情報を受信する受信手段と、前記受信手段により受信された利用実績情報をカードＩＤをキーにして蓄積する利用実績蓄積手段と、チャージ限度額を変更するための判定基準情報を記憶した判定情報記憶手段と、前記利用実績蓄積手段に蓄積されたカードＩＤ毎の利用実績情報と前記判定基準情報記憶手段の判定基準情報とを基にチャージ限度額を変更するか否か、あるいはプレミアム金額を付与するか否かを判定する判定手段と、前記判定手段により変更と判定されたチャージ限度額の変更情報あるいはプレミアム金額を前記チャージ機へ送信する手段とを具備したことを特徴としている。
なお、このＩＣカードチャージシステムにおいて、ホストコンピュータは、プレミアム金額を付与するか否かを判定するための基準値と付与するプレミアム金額とを記憶したプレミアム付与判定基準記憶手段と、判定手段によりチャージ限度額の引上げあるいは引下げと判定されたそれぞれの回数を記憶する回数記憶手段と、回数記憶手段の回数とプレミアム付与判定基準記憶手段の基準値とを基に該当非接触ＩＣカードヘプレミアム金額を付与するか否かを判定し、プレミアム金額を付与する場合、該当プレミアム金額をプレミアム付与判定基準記憶手段から読出すプレミアム付与判定手段とを備える。
また、このＩＣカードチャージシステムにおいて、チャージ機は、受信手段により受信されたチャージ限度額の変更情報がチャージ限度額の引上げの場合、チャージ限度額の引上げを行うか否かの指示を促す手段と、チャージ限度額の引上げを行うことが指示された場合に、引き上げられたチャージ限度額を適用する一方、チャージ限度額の引上げを行わないことが指示された場合に、現行のチャージ限度額を適用する手段とを具備したことを特徴としている。
【０００９】
本発明のＩＣカードチャージシステムは、有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおいて、前記チャージ機は、金額データをチャージする非接触ＩＣカードよりカード情報を読取り、読み取ったカード情報に含まれるカードＩＤをホストコンピュータヘ送信する手段と、送信した前記カードＩＤの応答として前記ホストコンピュータより受信した判定結果がチャージ限度額の引下げの場合、引下げられたチャージ限度額内でチャージが可能なことを報知すると共に、引下げられたチャージ限度額を適用したチャージ処理を行う手段とを備え、前記ホストコンピュータは、前記チャージ機からカードＩＤを受信する受信手段と、過去に不正利用されて利用不可とされた非接触ＩＣカードのカードＩＤのリストが登録された利用不可カードＩＤ記憶手段と、前記受信手段により受信されたカードＩＤが前記利用不可カードＩＤ記憶手段に登録されているか否かによって、該当非接触ＩＣカードのチャージ限度額の引下げるか否かを判定する判定手段と、前記判定手段による判定結果を前記チャージ機へ通知する手段とを具備したことを特徴としている。
【００１０】
本発明のＩＣカードチャージ方法は、有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおけるＩＣカードチャージ方法において、前記非接触ＩＣカードに前記チャージ機が金額データをチャージするステップと、前記非接触ＩＣカードに金額データをチャージした際の利用実績情報を前記チャージ機から前記ホストコンピュータへ送信するステップと、前記チャージ機からの利用実績情報を前記ホストコンピュータが受信するステップと、受信した利用実績情報をカードＩＤをキーにして前記ホストコンピュータが蓄積するステップと、前記ホストコンピュータに蓄積したカードＩＤ毎の利用実績情報と予め記憶されたチャージ限度額を変更するための判定基準情報とを基にチャージ限度額を変更するか否か、あるいはプレミアム金額を付与するか否かを前記ホストコンピュータが判定するステップと、前記ホストコンピュータが変更と判定したチャージ限度額の変更情報あるいはプレミアム金額を前記チャージ機へ送信するステップと、前記ホストコンピュータから送信されてきたチャージ限度額変更情報あるいはプレミアム金額を受信するステップと、前記受信手段により受信されたチャージ限度額の変更情報あるいはプレミアム金額に基づき非接触ＩＣカードの該当情報を更新するステップとを有することを特徴としている。
なお、上記ＩＣカードチャージ方法において、ホストコンピュータは、予め記憶していたプレミアム金額を付与するか否かを判定するための基準値と付与するプレミアム金額と、チャージ限度額の引上げと判定された回数とを基に該当非接触ＩＣカードヘプレミアム金額を付与するか否かを判定し、プレミアム金額を付与する場合、該当プレミアム金額を読出すステップを有している。
また、上記ＩＣカードチャージ方法において、チャージ機に受信されたチャージ限度額の変更情報がチャージ限度額の引上げの場合、チャージ限度額の引上げを行うか否かの指示を促すステップと、チャージ限度額の引上げを行うことが指示された場合に、引き上げられたチャージ限度額を適用する一方、チャージ限度額の引上げを行わないことが指示された場合に、現行のチャージ限度額を適用するステップとを有することを特徴としている。
【００１１】
本発明のＩＣカードチャージ方法は、有料道路を利用した利用料金を支払うための金額データを非接触ＩＣカードにチャージするチャージ機と、このチャージ機と通信回線で接続され、前記非接触ＩＣカードの利用実績を管理するホストコンピュータとを備えたＩＣカードチャージシステムにおけるＩＣカードチャージ方法において、金額データをチャージする非接触ＩＣカードよりカード情報を前記チャージ機が読取り、読み取ったカード情報に含まれるカードＩＤを前記ホストコンピュータヘ送信するステップと、前記チャージ機からのカードＩＤを前記ホストコンピュータが受信するステップと、受信したカードＩＤが、過去に不正利用されて利用不可とされた非接触ＩＣカードのカードＩＤのリストに登録されているか否かによって、該当非接触ＩＣカードのチャージ限度額の引下げるか否かを前記ホストコンピュータが判定し、その判定結果を前記チャージ機へ通知するステップと、前記ホストコンピュータより前記チャージ機が受信した判定結果がチャージ限度額の引下げの場合、引下げられたチャージ限度額内でチャージが可能なことを報知すると共に、引下げられたチャージ限度額を適用したチャージ処理を行うステップとを有することを特徴としている。
【００１２】
本発明では、チャージ機で非接触ＩＣカードが利用されるたびに、ホストコンピュータへ利用実績が送信され、カードＩＤをキーに蓄積される。ホストコンピュータでは、非接触ＩＣカードの利用実績に応じてチャージ限度額を引上げるか引下げるか、継続するか等を判定し、判定結果をチャージ機へ通知する。
判定結果の通知を受けたチャージ機は、判定結果に応じて非接触ＩＣカードのチャージ限度額を自動的に更新する。つまり、非接触ＩＣカードを頻繁に利用したり、高額利用する優良な利用者が所持する非接触ＩＣカードの利用限度額を引上げる。また、利用者が不正に利用した疑いがある場合には、非接触ＩＣカードの利用限度額を引下げる。これにより、非接触ＩＣカードを頻繁に利用したり高額利用する優良な利用者ほどその利便性を向上することができる。
【００１３】
また、本発明では、非接触ＩＣカードをチャージ機にセットして金額データをチャージする際に、非接触ＩＣカードよりカード情報をチャージ機が読取り、読み取ったカード情報に含まれるカードＩＤをホストコンピュータヘ送信する。ホストコンピュータでは、受信したカードＩＤが、過去に不正利用されて利用不可とされた非接触ＩＣカードのカードＩＤのリストに登録されているか否かによって、該当非接触ＩＣカードのチャージ限度額の引下げるか否かを判定し、その判定結果をチャージ機へ通知する。チャージ機では、受信した判定結果がチャージ限度額の引下げの場合、引下げられたチャージ限度額以内でチャージが可能なことを報知すると共に、引下げられたチャージ限度額を適用したチャージ処理を行うので、不正利用の疑いがある利用者は、まとまった金額をチャージできなくなり、その利用者には非接触ＩＣカードを利用させながらもペナルティを与えることができる。
【００１４】
【発明の実施の形態】
以下、本発明の実施の形態を図面を参照して詳細に説明する。
図１は本発明に係る一つの実施形態のチャージシステムの全体構成を示す図である。
図１に示すように、この実施形態のチャージシステムは、有料道路内の料金所、サービスエリアあるいは有料道路以外の車両が立ち寄り可能な場所（コンビニエンスストア等）に配置されるチャージ機１１と、管理センタ等に設置されるホストコンピュータ１２と、チャージ機１１にて金額データをチャージすることで繰り返し利用可能な非接触ＩＣカード１３と、ホストコンピュータ１２とチャージ機１１とをオンライン接続する通信回線１４とから構成されている。
【００１５】
チャージ機１１は、ＣＰＵ３１、メモリ３２、表示部３３、操作部３４、搬送部３５、ＩＣカードインタフェース部３６（以下ＩＣＣＩ／Ｆ部３６と称す）、上位伝送Ｉ／Ｆ部３７、電源部３８等を有している。チャージ機１１は、有料道路の通行料金を支払うための金額データのチャージを目的としたユーザに使用される。また、チャージ機１１は、ホストコンピュータ１２とオンラインで接続されデータの送受信を行う。
ＣＰＵ３１は、各部の動作を制御する。メモリ３２には、オペレーティングシステム（ＯＳ）と協動する制御プログラムや表示用の各種メッセージ、データ類が記憶されている。ＩＣＣＩ／Ｆ部３６は、非接触ＩＣカード１３に対して金額データのチャージ、プレミアム金額の追加等を行うための電波の送受信および非接触ＩＣカード１３のデータのリード／ライト動作を行う。表示部３３は、ＣＰＵ３１から通知あるいは渡された処理状況および処理結果等を表示する。操作部３４は、チャージ、残額照会等の釦と現金等の投入部を備え、利用者により操作された釦に応じた入力情報をＣＰＵ３１へ通知する。搬送部３５は、非接触ＩＣカードを処理するための搬送（カード搬入／カード搬出）を行う。上位伝送Ｉ／Ｆ部３７は、ホストコンピュータ１２とオンラインで通信するための伝送制御を行う。電源部３８は、各部に電源を供給する。
【００１６】
ホストコンピュータ１２は、ＣＰＵ４１、メモリ４２、表示部４３、操作部４４、下位伝送Ｉ／Ｆ部４５、電源部４６、データベース４７等を有している。
ＣＰＵ３１は、各部の動作を制御する。メモリ４２には、オペレーティングシステム（ＯＳ）と協動する制御プログラムや表示用の各種メッセージ、データ類が記憶されている。下位伝送Ｉ／Ｆ部４５は、チャージ機１１とオンラインで通信するための伝送制御を行う。電源部４６は、各部に電源を供給する。
データベース４７には、カードＩＤ毎の利用実績テーブル５０（図４〜図６参照）、プレミアム付与判定用の判定基準テーブル５１（図７参照）、、正規カードリスト、利用不可カードＩＤ記憶手段としてのリスト（ネガティブリスト、チャージ拒否リスト）等が設定されている。正規カードリストは、非接触ＩＣカードが正常に使用された際にカードＩＤが登録（リストアップ）されるリストである。ネガティブリストは過去の不正利用等に使用されたカードＩＤを登録したリストである。チャージ拒否リストは、ネガティブリストの検索でヒットした回数が所定回数を超えたときにチャージを拒否するカードＩＤが登録されるリストである。
【００１７】
カードＩＤ毎の利用実績テーブル５０には、カードＩＤ毎の利用実績（利用回数、１回の利用金額最大、料金額平均、過去のチャージ回数等）と利用実績のそれぞれの情報に対応してチャージ限度額を変更するための判定基準情報（利用回数、１回の利用金額最大、料金額平均、過去のチャージ回数等）とが記憶（蓄積）されている。
判定基準テーブル５１には、ＣＰＵ４１によってチャージ限度額引き上げと判定された場合にカウントアップされた引上げ当選回数と基準値当選回数と基準値当選回数に対応するプレミアム金額とが設定されている。
ホストコンピュータ１２は、各端末（入口端末、出口端末、チャージ機１１等）から収集したデータを自身のデータベース４７に管理し、また各端末の動作に必要なパラメータ、応答等のデータをデータベースから配信する。入口端末にて入口処理が終了したときに入口処理トランザクションデータがホストコンピュータ１２へ送信されるので、ホストコンピュータ１２は、この入口処理トランザクションデータを受信してデータベース４７に登録すると共に入口処理が終了したことを判定する。ホストコンピュータ１２は、出口処理の際に出口端末から受信された要求に応じて該当パラメータをデータベース４７から送信する。出口端末にて出口処理が終了したときに出口処理トランザクションデータがホストコンピュータ１２へ送信されるので、この出口処理トランザクションデータをデータベース４７に登録すると共に出口処理の終了を判定する。
つまり、ホストコンピュータ１２は、非接触ＩＣカード１３に関する情報を管理し、チャージ機１１からの間い合わせに対して各種情報を送信する。また、ホストコンピュータ１２は、チャージ機１１より、チャージ処理に関する明細データを受信し、それを管理する。
【００１８】
非接触ＩＣカード１３は、カードの基材となる四角形（例えば長方形等）の基板２１と、この基板２１に実装され、有料道路の料金を支払うための金額データ（残額情報）とカードＩＤ（カード識別情報）を記憶した記憶手段としての半導体チップ２３と、有料道路に設置された各端末（入口端末、出口端末等）の非接触ＩＣカードリーダライタからの金額データ読み出し要求に従って半導体チップ２３のメモリ（ＲＡＭ２６、ＥＰＲＯＭ２７）より読み出された金額データおよびカードＩＤ等を送信する一方、非接触ＩＣカードリーダライタより入口情報、出口情報等を含む利用履歴、金額データ（チャージする積み増し額、プレミアム金額等）、チャージ限度額の変更情報等を受信するアンテナコイル２２と、制御プログラムが記憶されたＲＯＭ２５と、このＲＯＭ２５の制御プログラムが読み込まれるＲＡＭ２６と、ＲＯＭ２５からＲＡＭ２６へ読み出された制御プログラムの処理を実行するＣＰＵ（セントラル・プロセッシング・ユニット）２４と、専用プロセッサ２８と、インタフェース２９とを備えている。ＥＰＲＯＭ２７はフラッシュメモリであり、利用履歴、金額データ、チャージ限度額等のデータが予め記憶されている。ＲＡＭ２６はＣＰＵ２４が処理を実行する際の作業領域となる。ＣＰＵ２４はアンテナコイル２２で受信された利用履歴、金額データ、チャージ限度額変更情報等のデータをＲＡＭ２６を通じてＥＰＲＯＭ２７に記憶（更新）する。専用プロセッサ２８は、アンテナコイル２２で受信されたチャージ限度額の更新情報あるいはプレミアム金額データにてＥＰＲＯＭ２７内のチャージ限度額あるいはプレミアム金額（金額データ）を更新する。すなわち、非接触ＩＣカード１３は、半導体チップ２３とアンテナコイル２２とを備え、チャージ機１１から発せされるポーリング電波の受信をきっかけに、半導体チップ２３で保持するデータを電波でチャージ機１１へ送信する。
【００１９】
すなわち、このチャージシステムは、有料道路を利用した利用料金を支払うための金額データを非接触ＩＣカード１３にチャージするチャージ機１１と、このチャージ機１１と通信回線１４で接続され、非接触ＩＣカード１３の利用実績を管理するホストコンピュータ１２とを備えたものであって、チャージ機１１は、非接触ＩＣカード１３に金額データをチャージするチャージ手段としてのＣＰＵ３１と、このＣＰＵ３１により非接触ＩＣカード１３にチャージされた際の利用実績情報をホストコンピュータ１２へ送信する手段として上位伝送Ｉ／Ｆ部３７と、ホストコンピュータ１２から送信されてきたチャージ限度額の変更情報あるいはプレミアム金データを受信する受信手段として上位伝送Ｉ／Ｆ部３７と、この上位伝送Ｉ／Ｆ部３７により受信されたチャージ限度額の変更情報あるいはプレミアム金額データに基づき非接触ＩＣカード１３の該当情報を更新する手段としてのＣＰＵ３１、専用プロセッサ２８とを備えている。
ホストコンピュータ１２は、チャージ機１１より利用実績を受信する受信手段としての下位伝送Ｉ／Ｆ部４５と、この下位伝送Ｉ／Ｆ部４５により受信された利用実績（利用回数、１回の利用金額最大、料金額平均、過去のチャージ回数）をカードＩＤをキーにして蓄積すると共に、利用実績に対応してチャージ限度額を変更するための判定基準情報としての基準値（利用回数、１回の利用金額最大、料金額平均、過去のチャージ回数）を記憶した利用実績テーブル５０と、この利用実績テーブル５０の利用実績と基準値とを比較してチャージ限度額を変更するか否かを判定する判定手段としてのＣＰＵ４１と、このＣＰＵ４１により変更と判定されたチャージ限度額の変更情報（引上げ、引下げ、継続等）あるいはプレミアム金額のデータをチャージ機１１へ送信する手段としての下位伝送Ｉ／Ｆ部４５とを備えている。
ホストコンピュータ１２は、プレミアムを付与するか否かを判定するための基準値と付与するプレミアム金額とＣＰＵ４１によりチャージ限度額の引上げ（あるいは引下げ）と判定されたそれぞれの当選回数とを記憶する回数記憶手段としての判定基準テーブル５１と、この判定基準テーブル５１の当選回数と基準値とプレミアム金額とを基に該当非接触ＩＣカードヘプレミアム金額を付与するか否かを判定すると共に、判定の結果、付与する場合のプレミアム金額を判定基準テーブル５１より読出すプレミアム付与判定手段としてのＣＰＵ４１と、プレミアム金を付与する場合に判定基準テーブル５１から読出されたプレミアム金額を、該当非接触ＩＣカード１３が利用されているチャージ機１１へ送信する手段としての下位伝送Ｉ／Ｆ部４５とを備えている。
【００２０】
有料道路の料金収受システムとしては、入口端末、出口端末等がある。入口端末は有料道路の入口料金所に設置されており、非接触ＩＣカードリーダライタ等を有している。出口端末は有料道路の出口料金所に設置されており、非接触ＩＣカードリーダライタ等を有している。なお出口端末は料金収受機あるいは料金収受端末ともいう。これら入口端末、出口端末にはホストコンピュータ１２が通信回線を介して接続されており、入口処理の結果および出口処理の結果がホストコンピュータ１２へ送信され、データベース４７に利用履歴として管理される。
【００２１】
以下、このチャージシステムの動作を説明する。
まず、非接触ＩＣカードに金額をチャージする場合の動作について説明する。
利用者が非接触ＩＣカード１３の残額を増やすために、チャージ機１１の操作部３４のチャージ釦を押すと、ＣＰＵ３１は、「チャージするＩＣカードをカード挿入口へ挿入してください。等のメッセージを表示部３３に表示する。
このメッセージ従い、利用者が非接触ＩＣカード１３を挿入口へ挿入すると、搬送部３５によって非接触ＩＣカード１３が内部に引き込まれて搬入されてＩＣＣＩ／Ｆ部３６の位置で搬送が停止される。すると、ＣＰＵ３１は、ＩＣＣＩ／Ｆ部３６を制御してＩＣＣＩ／Ｆ部３６からポーリング電波を送信させる。
非接触ＩＣカード１３では、ポーリング電波をアンテナコイル２２で受信すると、ＣＰＵ２４が、チャージ機１１との認証シーケンスを開始する。認証シーケンスでは、非接触ＩＣカード１３のカードＩＤが正しいものかどうか、といったことがチェックされる。
認証が正常に完了すると、ＣＰＵ２４は、ＥＰＲＯＭ２７に保持されているカード情報をチャージ機１１へ電波で送信する。
チャージ機１１では、非接型ＩＣカード１３からのカード情報をＩＣＣＩ／Ｆ部３６が受信すると、そのカード情報（データ、カードＩＤ等）を含む要求を上位伝送Ｉ／Ｆ部３７より通信回線１４を通じてホストコンピュータ１２ヘ送信し、チャージ拒否リスト、ネガティブリスト等による利用可否の問い合わせを行う。
ホストコンピュータ１２では、下位伝送Ｉ／Ｆ部４５がチャージ機１１からの要求を受信すると、ＣＰＵ４１は、受信した要求に含まれるデータ、カードＩＤをキーにしてデータベース４７を検索し、各種判定処理を行った後、チャージに関するデータ（チャージ限度額の更新情報、チャージ拒否を示す情報等）をチャージ機１１へ送信する。
チャージ機１１のＣＰＵ３１は、ホストコンピュータ１２より受信したチャージに関するデータを基にチャージ処理（チャージ業務）を開始する。
チャージ業務において、ＣＰＵ３１は、チャージ金額の入力を促す表示を表示部３３に行い、この表示を見た利用者によって操作部３４からのチャージ金額の入力があると、ＣＰＵ３１は、入力されたチャージ金額に相当する金品（現金、磁気プリペイドカード等）の投入を促す案内メッセージを表示させて、投入口等に現金が投入されると、その現金の回収処理を行う。
チャージ金額に相当する現金を回収した後、ＣＰＵ３１は、チャージ金額データおよびそれに付随する情報（チャージ限度額の変更情報等の付随情報）等のチャージ情報をＩＣＣＩ／Ｆ部３６より電波で非接触ＩＣカード１３ヘ送信する。
非接触ＩＣカードでは、アンテナコイル２２によりチャージ金額データおよび付随情報が受信されると、受信されたチャージ情報のうちチャージ金額データをＣＰＵ２４がＲＡＭ２６を通じてＥＰＲＯＭ２７に書き込む。受信されたチャージ情報のうちチャージ限度額の変更情報等は専用プロセッサ２８がＲＡＭ２６を通じてＥＰＲＯＭ２７に書き込む。これにより、ＥＰＲＯＭ２７内に既にある該当情報（チャージ金額、チャージ限度額等）が更新され、チャージ金額がチャージされる。
ＣＰＵ２４は、チャージ情報の書込みが終了した旨をアンテナコイル２２から電波でチャージ機１１のＩＣＣＩ／Ｆ部３６に通知し、終了シーケンスを行う。
終了シーケンスが終了すると、チャージ機１１のＣＰＵ３１は、チャージ終了データをホストコンピュータ１２ヘ送信すると共に、搬送部３５を制御して非接触ＩＣカード１３を排出する。
【００２２】
続いて、図２，図３を参照してこのチャージシステムにおけるチャージ機１１とホストコンピュータ１２のそれぞれの動作を説明する。図２はこのチャージシステム１におけるホストコンピュータ１２の処理を示すフローチャート、図３はこのチャージシステム１におけるチャージ機１１の処理を示すフローチャートである。
まず、図２を参照してホストコンピュータ１２の処理動作を説明する。
通常のシステムの運用で入口端末、出口端末およびチャージ機１１で非接触ＩＣカードが使用されたときに入口端末、出口端末およびチャージ機１１からカードＩＤを含む処理情報（利用実績情報）がホストコンピュータ１２に受信されるので、ホストコンピュータ１２では、受信された利用実績情報に含まれているカードＩＤがデータベース４７に正規カードリスト、ネガティブリストに登録されているかどうかをチェックする。このチェック結果、カードＩＤがデータベース４７の正規カードリストに存在しない場合、ＣＰＵ４１は、そのカードＩＤをデータベース４７のネガティブリストに登録する。また、カードＩＤが既にネガティブリストに登録済みのカードＩＤである場合、ＣＰＵ４１は、今回利用されたことで回数をカウントアップする。さらにカウントアップした値（回数）が規定回数に達した場合、該当カードＩＤをデータベース４７のチャージ拒否リストに登録する。
また、チャージ機１１で正規の非接触ＩＣカードが実際にチャージされた金額、回数等がカードＩＤ毎に利用実績としてデータベース４７に蓄積される。
【００２３】
このような中、チャージ機１１よりホストコンピュータ１２にチャージ要求が受信されると、ホストコンピュータ１２では、チャージ機１１より受信されたデータとデータベース４７の各リストおよびテーブルの各情報を基に、ＣＰＵ４１が各種判定処理を行う。
ＣＰＵ４１は、受信されたカードＩＤをキーにチャージ拒否リストを検索し該当カードＩＤがヒットするか否かによってチャージ拒否判定を行う（Ｓ２０１）。
【００２４】
このチャージ拒否判定の結果、チャージ拒否リストに該当情報が存在した場合（Ｓ２０２のＹｅｓ）、チャージ拒否を示す情報をチャージ機１１へ送信する（Ｓ２０３）。
一方、チャージ拒否判定の結果、チャージ拒否リストに該当情報が存在せず（Ｓ２０２のＮｏ）、チャージ可と判定した場合、続いて、ＣＰＵ４１は、ネガティブリストを基にネガティブ判定を行う（Ｓ２０４）。
このネガティブ判定の結果、ネガティブリストに該当情報が存在した場合（Ｓ２０５のＹｅｓ）、限度額引き下げの情報をチャージ機１１へ送信する（Ｓ２０６）。
一方、ネガティブ判定の結果、ネガティブリストに該当情報が存在せず（Ｓ２０５のＮｏ）、該当カードを不正無しカードと判定した場合、ＣＰＵ４１は、次に現在処理中の非接触ＩＣカードへのチャージ限度額変更可否判定処理を行う（Ｓ２０７）。
チャージ限度額変更可否判定処理では、ＣＰＵ４１は、データベース４７の利用実績テーブル５０を参照し、まず、過去の利用実績（利用回数、利用金額平均、１回の利用金額最大、過去のチャージ回数）と基準値（利用回数、利用金額平均、１回の利用金額最大、過去のチャージ回数）との比較を行う。なお、利用回数、利用金額平均、１回の利用金額最大、過去のチャージ回数にはそれぞれ重み付けあるいは順位付けがなされており、例えば利用金額平均、１回の利用金額最大等は重み付けが高く、利用回数、過去のチャージ回数等は重み付けが低く設定されている。
したがって、ＣＰＵ４１は、個別の情報の比較結果とそれぞれの重み付けから総合的にチャージ限度額の引上げの有／無の判定を行う。
判定結果が引上げ無し、つまり継続の場合（Ｓ２０８の継続）、ＣＰＵ４１は、「限度額継続」というチャージ限度額の更新情報をチャージ機１１へ送信し通知する（Ｓ２０９）。
一方、判定結果が引上げの場合（Ｓ２０８の引上げ）、ＣＰＵ４１は、該当カードＩＤにおける限度額引上げ当選回数を＋１（カウントアップ）して（Ｓ２１０）、プレミアム付与判定処理を行う（Ｓ２１１）。プレミアム付与判定処理とは、ＣＰＵ４１は、チャージ金に付加するプレミアム金額（上乗せ金）をいくらにするかを決めるための判定処理であり、この処理の結果として、「限度額引上げ」というチャージ限度額の更新情報が生成される。
プレミアム付与判定処理が終了すると、ＣＰＵ４１は、生成した「限度額引上げ」というチャージ限度額の更新情報をチャージ機１１へ送信し通知する（Ｓ２１２）。
【００２５】
ここで、具体的な利用実績テーブル５０を用いた判定例について説明てする。
図４に示すように、利用実績テーブル５０に予め設定（登録）されている基準値が、例えば利用回数：１００回、利用金額平均：１０００円、１回の利用金額最大：１０００円、過去のチャージ回数：１０回等の場合、利用実績が例えば利用回数：３００回、利用金額平均：２５０円、１回の利用金額最大：２５０円、過去のチャージ回数：３０回等となった場合に、ＣＰＵ４１が互いを比較した結果、基準値を満たしている利用実績は、利用回数の３００回と、過去のチャージ回数の３０回であり、４項目中２項目が基準値を満たしていた場合、総合判定として「引上げ」とされた例である。
また、図５に示すように、利用実績テーブル５０の基準値（利用回数：１００回、利用金額平均：１０００円、１回の利用金額最大：１０００円、過去のチャージ回数：１０回）に対して利用実績が例えば利用回数：１０回、利用金額平均：３００００円、１回の利用金額最大：２５０００円、過去のチャージ回数：９回等となった場合に、ＣＰＵ４１が互いを比較した結果、基準値を満たしている利用実績は、利用金額平均の３００００円と、１回の利用金額最大の２５０００円であり、金額に重み付けを多くした場合に、総合判定として「引上げ」とされた例である。
さらに、図６に示すように、利用実績テーブル５０の基準値（利用回数：１００回、利用金額平均：１０００円、１回の利用金額最大：１０００円、過去のチャージ回数：１０回）に対して利用実績が例えば利用回数：５回、利用金額平均：１０００円、１回の利用金額最大：８００円、過去のチャージ回数：１１回等となった場合に、ＣＰＵ４１が互いを比較した結果、基準値を満たしている利用実績は、過去のチャージ回数の１１回のみであり、チャージ回数に重み付けを少なくした場合に、総合判定として「継続」とされた例である。
【００２６】
したがって、プレミアム付与判定処理では、ＣＰＵ４１は、上記「引上げ」の総合判定で今回カウントアップしたチャージ限度額引上げ当選回数に該当するプレミアム金額を判定基準テーブル５１から読出して該当非接触ＩＣカードのカードＩＤに付与し、判定結果として「限度額引上げ」、「プレミアム金額」の２つの情報をチャージ限度額の更新情報としてチャージ機１１へ通知する。
具体的には、図７に示すように、例えば今回の引上げ当選で当選回数が１０回となった場合、ＣＰＵ４１は、基準値当選回数「１０」のプレミアム金額、￥２００を付与するものと判定する。
【００２７】
ここで、チャージ機１１の処理動作を説明する。
ホストコンピュータ１２より判定結果がチャージ機１１に受信されると（Ｓ３００）、ＣＰＵ３１は、受信された判定結果に従って、次の処理（チャージ拒否処理、チャージ限度額引下げ、チャージ限度額引上げ）を行う。
例えばホストコンピュータ１２から受信された判定結果が「チャージ拒否」の場合（Ｓ３０１のＹｅｓ）、ＣＰＵ３１は、現在処理中の非接触ＩＣカード１３に対してチャージを行わない処理（チャージ拒否処理）を行う。
チャージ拒否処理では、まず、ＣＰＵ３１は、「チャージは出来ません」等のメッセージ、および問い合わせ先等を表示部３３の画面へ表示すると共に（Ｓ３０２）、利用者からの操作部３４の確認釦の押下を待つ（Ｓ３０３）。
そして、確認釦が押下されると、ＣＰＵ３１は、チャージ拒否フラグをオン（通常オフ）とし、それを非接触ＩＣカード１３ヘ書込むと共に、ホールド中の非接触ＩＣカード１３を排出する（Ｓ３０４）。
【００２８】
また、ホストコンピュータ１２より受信した判定結果が「チャージ拒否」ではなく（Ｓ３０１のＮｏ）、「限度額引下げ」の場合（Ｓ３０５のＮｏ）、ＣＰＵ３１は、現在処理中の非接触ＩＣカード１３に対してチャージ限度額の引下げ処理を行う。なお、チャージ限度額の引下げ幅に関する情報は、判定結果と共にホストコンピュータ１２より受信する。
チャージ限度額の引下げ処理を行う場合、ＣＰＵ３１は、「お客様のチャージ限度額はＸＸＸＸＸからＸＸＸＸＸ円となりました。チャージ限度額以内でチャージ可能です。金額を入力してください。」等のメッセージを表示部３３の画面へ表示すると共に（Ｓ３０６）、引下げられたチャージ限度額をメモリ３２に設定することで引下げられた限度額を適用する（Ｓ３０７）。すなわち、ＣＰＵ３１は、引下げられたチャージ限度額以内でチャージが可能なことを報知すると共に、チャージ金額の入力を促す。なお、メモリ３２に設定されたチャージ限度額は、非接触ＩＣカード１３へ転送されて、該当情報（チャージ限度額）が更新される。チャージ限度額の転送は、適用後、直ぐでもよく、また、チャージ金額データの書き込み処理と同時でもよい。
【００２９】
一方、ホストコンピュータ１２より受信した判定結果が「チャージ拒否」ではなく（Ｓ３０１のＮｏ）、「限度額引上げ」の場合（Ｓ３０５のＹｅｓ）、ＣＰＵ３１は、受信されたチャージ限度額の更新情報をメモリ３２に記憶して、現在処理中の非接触ＩＣカード１３に対して釦操作に応じたチャージ限度額の引上げ／現状維持の処理（Ｓ３１０，Ｓ３１１）およびプレミアム金の付与処理を行う（Ｓ３１４）。
この場合、ＣＰＵ３１は、表示部３３の画面へ「お客様のチャージ限度額はＸＸＸＸＸ円からＸＸＸＸＸ円に引上げ可能です」等のメッセージを表示する（Ｓ３０８）。
これと同時にＣＰＵ３１は、表示部３３の画面へ［引上げる］釦、［引上げない］釦を表示し、いずれかの釦の選択操作（指示）を待ち、引上げ操作の有／無を判定する（Ｓ３０９）。
【００３０】
ここで、例えば［引上げる］釦が選択操作された場合、つまり引上げ操作有りの場合（Ｓ３０９のＹｅｓ）、ＣＰＵ３１は、メモリ３２に記憶されている引上げ限度額を適用して（Ｓ３１０）、引上げられた限度額でチャージ金額の入力処理を行う（Ｓ３１２）。
また［引上げない］釦が選択操作された場合、つまり引上げ操作なしの場合（Ｓ３０９のＮｏ）、ＣＰＵ３１は、非接触ＩＣカード１３から読み出した現行の限度額を適用して（Ｓ３１１）、現行の限度額でチャージ金額の入力処理を行うためのメッセージを表示する（Ｓ３１２）。なお、「引上げない」釦を選択した場合、チャージ限度額の引上げの情報およびプレミアム金額のうち少なくともチャージ限度額の引上げの情報は破棄される。
【００３１】
上記チャージ限度額適用処理により新たなチャージ限度額が適用された後、表示されたメッセージに従い利用者が操作部３４より、チャージ金額の入力を行うと（Ｓ３１２）、ＣＰＵ３１は、入力されたチャージ金額がチャージ限度額を満たしているか否か、つまりチャージ限度額以上（チャージ限度額を満たしていない）か、チャージ限度額以下（チャージ限度額を満たしている）かを判定する。
この判定の結果、入力金額がチャージ限度額以上の場合、チャージ限度額を満たしていないためその入力金額を無効とし、チャージ金額の再入力を促すメッセージを表示部３３に表示する。
【００３２】
入力金額がチャージ限度額以下の場合、チャージ限度額を満たしているため、ＣＰＵ３１は、チャージ金額に相当する現金の投入待ちとなり、現金が投入口に投入されると、投入された現金の回収処理を行う（Ｓ３１３）。
回収処理にて、正しい金額が回収できた場合、ＣＰＵ３１は、受信情報にプレミアム金額のデータが有るかどうかをチェックし（Ｓ３１４）、このチェックの結果、プレミアム金額のデータが有る場合（Ｓ３１４のＹｅｓ）、チャージ金額へプレミアム金額を加算し（Ｓ３１５）、加算後のチャージ金額のデータを非接触ＩＣカード１３へ書込み（Ｓ３１６）、書き込みが正しくできた場合、ホールド中の非接触ＩＣカード１３を排出する（Ｓ３０４）。
また、プレミアム金額のデータがない場合（Ｓ３１４のＮｏ）、そのチャージ金額のデータを非接触ＩＣカード１３へ書込み（Ｓ３１６）、書き込みが正しくできた場合、ホールド中の非接触ＩＣカード１３を排出する（Ｓ３０４）。
【００３３】
このようにこの実施形態のチャージシステムによれば、有料道路の利用実績に応じて非接触ＩＣカードに設定されているチャージ限度額を自動的に引き上げるので、１度に多くのチャージが可能となる。これにより、長距離走行や利用率の高いユーザは、以前と比較するとチャージ回数が低減し、利便性を向上できる。また、有料道路の利用実績に応じてチャージ金額ヘプレミアム金額（上乗せ金）を付与するので、プレミアム金額の付与は、航空機関等で用いられている「マイル」や「ポイント」等に相当するものであり、楽しみが増えることになる。また、利用率に比例してプレミアム金がアップするので、これが一般に浸透した場合、非接触ＩＣカードを利用する利用者の増加を期待できる。
また、チャージ拒否不正利用常習者に対してチャージを行わないので、チャージ拒否不正使用等の常習ユーザが非接触ＩＣカードを利用した通行料金の支払いが行えなくなる。これは、持っている物を奪われるという行為に価するものであり、チャージ拒否された利用者にとっては痛いペナルティとなる。
さらに、ネガティブリストの参照により不正に利用されたカードＩＤを持つ非接触ＩＣカードについては、チャージ機１１利用時にチャージ限度額を自動的に引き下げるので、非接触ＩＣカードの利用率が高いユーザは、頻繁にチャージを行わなければならず、これは、制約を受けるというペナルティ行為に値するものであり、チャージ限度額引下げがなされた利用者の利便性が低減する。
この結果、利用者が非接触ＩＣカードを利用する度合いに応じて特典を与える一方、利用者の不正利用に対して非接触ＩＣカードを利用させながらもペナルティを与えることができる。
【００３４】
なお、本発明は上記実施形態のみに限定されるものではない。
上記実施形態では、チャージ金額の引上げについて、当選回数をカウントし、カウントした当選回数が規定値に達した時点でプレミアムを付与するようにしたが、チャージ金額の引下げについても、ネガティブリストのチェックで該当回数をカウントし、カウントした該当回数が規定値に達した時点でチャージ金額の引下げを適用する等の便宜を図るようにしてもよい。
上記実施形態では、チャージ機１１という独立したハードウェア構成のものを例にして説明したが、チャージ機１１のチャージ限度額自動更新機能を他の端末（入口端末、出口端末等）に載せてもよい。
また、チャージ機１１は、非接触ＩＣカードのみを処理するだけでなく、非接触ＩＣカードの販売、非接触ＩＣカードの残高照会、通行券のデータ読み取り等の機能を持つものでもよく、この場合、ＩＣカード処理機などとして機能する。
【００３５】
【発明の効果】
以上説明したように本発明によれば、利用者が非接触ＩＣカードを利用する度合いに応じて特典を与える一方、利用者の不正利用に対して非接触ＩＣカードを利用させながらもペナルティを与えることができる。
【図面の簡単な説明】
【図１】本発明の一つの実施形態のチャージシステムの全体構成を示す図。
【図２】図１のチャージシステムにおけるホストコンピュータの処理を示すフローチャート。
【図３】図１のチャージシステムにおけるチャージ機の処理を示すフローチャート。
【図４】ホストコンピュータの利用実績テーブルを示す図である。
【図５】ホストコンピュータの利用実績テーブルを示す図である。
【図６】ホストコンピュータの利用実績テーブルを示す図である。
【図７】ホストコンピュータの判定基準テーブルを示す図である。
【符号の説明】
１‥チャージシステム、１１‥チャージ機、１２‥ホストコンピュータ、１３‥非接触ＩＣカード、１４‥通信回線、２１‥基板、２２‥アンテナコイル、２３‥半導体チップ、２４，３１，４１‥ＣＰＵ、２５‥ＲＯＭ、２６‥ＲＡＭ、２７‥ＥＰＲＯＭ、２８‥専用プロセッサ、２９‥インタフェース、３２，４２‥メモリ、３３，４３‥表示部、３４，４４‥操作部、３５‥搬送部、３６‥ＩＣＣＩ／Ｆ部、３７‥上位伝送Ｉ／Ｆ部、３８，４６‥電源部、４７‥データベース、４５‥下位伝送Ｉ／Ｆ部、５０‥利用実績テーブル、５１‥判定基準テーブル。
【図１】
2004362307.tif 000003
【図２】
2004362307.tif 000004
【図３】
2004362307.tif 000005
【図４】
2004362307.tif 000006
【図５】
2004362307.tif 000007
【図６】
2004362307.tif 000008
【図７】
2004362307.tif 000009